(57)【要約】      （修正有）【課題】テレビ放送観賞中に、テレビ電話を受信した場合に、重要な要件のときのみ電話を受信することのできる画像表示装置を提供する。【解決手段】画像表示装置１ａは、テレビ放送受信部１８により受信したテレビ放送信号に基づく画像を画像表示部２１にて表示中に、インターフェイス１９を介してテレビ電話信号を受信したときに、テレビ放送よりもテレビ電話を優先すると判断した場合には、テレビ電話に表示を切り替えると同時に、テレビ放送の録画を行う。【選択図】図１
2006333165.tif 000002
【特許請求の範囲】
【請求項１】
テレビ放送信号を受信するテレビ放送受信部と、
音声と映像からなるテレビ電話信号を送受信するテレビ電話送受信部と、
前記テレビ放送信号または前記テレビ電話信号に基づく画像を表示する画像表示部と、
前記テレビ放送信号及び前記テレビ電話信号の受信元のそれぞれに対して予め付けられた順位を記憶する順位記憶部と、
前記順位記憶部に記憶された順位に基づき前記テレビ放送信号と前記テレビ電話信号のいずれを優先するかを選択する優先信号選択部と、
前記画像表示部において前記テレビ放送信号に基づく画像が表示されている状態において、前記優先信号選択部により前記テレビ電話信号が優先されると判別された場合には、前記テレビ電話信号に基づく画像を前記画像表示部に表示させる表示画像切替部と、を備えることを特徴とする画像表示装置。
【請求項２】
前記優先信号選択部は、前記順位記憶部に記憶された順位に基づき通話中の第１のテレビ電話信号と後から受信した第２のテレビ電話信号のいずれを優先するかを選択し、前記表示画像切替部は、前記画像表示部において前記第１のテレビ電話信号に基づく画像が表示されている状態において、前記優先信号選択部により前記第２のテレビ電話信号が優先されると判別された場合には、前記第２のテレビ電話信号に基づく画像を前記画像表示部に表示させることを特徴とする請求項１記載の画像表示装置。
【請求項３】
前記優先信号選択部により選択されなかった信号に基づく画像を格納する画像格納部を備えることを特徴とする請求項１または２記載の画像表示装置。
【請求項４】
前記画像表示部は、前記優先信号選択部により選択されなかった信号に基づく画像を、前記優先信号選択部により選択された信号に基づく画像の一部に組み込んで表示することを特徴とする請求項１から３いずれか記載の画像表示装置。
【請求項５】
テレビ放送信号を受信するテレビ放送受信部と、前記テレビ放送信号に基づく画像を表示する画像表示部と、を有する画像表示装置との間で信号の送受信を行う信号送受信部と、
音声と映像からなるテレビ電話信号を送受信するテレビ電話送受信部と、
前記テレビ放送信号及び前記テレビ電話信号の受信元のそれぞれに対して予め付けられた順位を記憶する順位記憶部と、
前記順位記憶部に記憶された順位に基づき前記テレビ放送信号と前記テレビ電話信号のいずれを優先するかを選択する優先信号選択部と、
前記画像表示部において前記テレビ放送信号に基づく画像が表示されている状態において、前記優先信号選択部により前記テレビ電話信号が優先されると判別された場合には、前記テレビ電話信号に基づく画像を前記画像表示部に表示させる表示画像切替部と、を備えることを特徴とする画像表示装置。
【発明の詳細な説明】
【技術分野】
【０００１】
本発明は、画像表示装置に関し、特に、１台でテレビ放送受信とテレビ電話通話が可能な画像表示装置に関する。
【背景技術】
【０００２】
近年、固定電話や携帯電話において、テレビ電話が普及しつつある。これは、通信網のブロードバンド化により一度に大量のデータの送受信が可能となり、音声信号に比べデータ量の大きい映像信号、それも高解像度であって動きの滑らかな映像が、送受信可能となったためである。
【０００３】
また、近年、家電製品の開発に伴い、複数種の家電製品の融合なども見られるようになった。これは、それぞれの異なる家電製品が多機能化することにより、他の家電製品と共通、或いは類似の機能を備えるようになったことが考えられる。
【０００４】
例えば、テレビとパソコンは、これまではまったく別の分野の商品であったにもかかわらず、今やテレビ機能つきのパソコンが多く販売されている。
【０００５】
テレビ電話についても、モニタやスピーカといった従来のテレビとその構成の多くを共通にするため、テレビにテレビ電話機能を備えさせたものが考えられている（例えば、特許文献１参照）。
【０００６】
テレビと、テレビ電話を１つのシステムとすることにより、スペースの削減ができ、高性能な構成部を共通使用することで費用を抑えることもできる。
【特許文献１】特開平７−３０８７２号公報
【発明の開示】
【発明が解決しようとする課題】
【０００７】
しかしながら、テレビを観賞中にテレビ電話を受信した場合の取り扱いが難点である。受信した電話が重要な要件であった場合には、テレビ鑑賞よりも優先されるべきであるが、非常に興味の有るテレビ放送の観賞が、セールスの電話等で中断されてしまうのは、ユーザに酷である。
【０００８】
特許文献１の発明のように、テレビ電話の送信元の情報を画面上に表示して着信相手を通知するものであっても、テレビ鑑賞に集中しているときに重要度の低い相手からの着信が通知されると、興ざめである。
【０００９】
従って、本発明の目的は、テレビ放送観賞中に、テレビ電話を受信した場合に、重要な要件のときのみ電話を受信することのできる画像表示装置を提供することにある。
【課題を解決するための手段】
【００１０】
本発明は、上記目的を達成するため、テレビ放送信号を受信するテレビ放送受信部と、音声と映像からなるテレビ電話信号を送受信するテレビ電話送受信部と、前記テレビ放送信号または前記テレビ電話信号に基づく画像を表示する画像表示部と、前記テレビ放送信号及び前記テレビ電話信号の受信元のそれぞれに対して予め付けられた順位を記憶する順位記憶部と、前記順位記憶部に記憶された順位に基づき前記テレビ放送信号と前記テレビ電話信号のいずれを優先するかを選択する優先信号選択部と、前記画像表示部において前記テレビ放送信号に基づく画像が表示されている状態において、前記優先信号選択部により前記テレビ電話信号が優先されると判別された場合には、前記テレビ電話信号に基づく画像を前記画像表示部に表示させる表示画像切替部と、を備えることを特徴とする画像表示装置を提供する。
【００１１】
本発明によれば、テレビ放送観賞中にテレビ電話を受信した場合に、テレビ放送とテレビ電話の重要度に応じて、テレビ電話に切り替えるか、或いはテレビ電話は留守番電話で応対するかが決定されるので、重要でない要件のテレビ電話の受信によってテレビ放送観賞を妨げられることを防ぐと共に、重要要件のテレビ電話については確実に接続することができる。
【００１２】
上記優先信号選択部は、前記順位記憶部に記憶された順位に基づき通話中の第１のテレビ電話信号と後から受信した第２のテレビ電話信号のいずれを優先するかを選択するものであり、上記表示画像切替部は、前記画像表示部において前記第１のテレビ電話信号に基づく画像が表示されている状態において、前記優先信号選択部により前記第２のテレビ電話信号が優先されると判別された場合には、前記第２のテレビ電話信号に基づく画像を前記画像表示部に表示させるものであってもよい。
【００１３】
このような構成を採ることにより、テレビ電話通話中に他のテレビ電話を受信した場合に、相手先の重要度に応じて、後から受信したテレビ電話に通話先を切り替えるか、そのままの通話を持続するかが決定されるので、重要でない要件のテレビ電話の受信によってより重要なテレビ電話の通話を妨げられることを防ぐと共に、重要要件のテレビ電話については確実に接続することができる。
【００１４】
上記画像表示装置は、前記優先信号選択部により選択されなかった信号に基づく画像を格納する画像格納部を備えるものであってもよい。
【００１５】
このような構成を採ることにより、テレビ電話に中断されたテレビ放送や、接続されなかったテレビ電話を録画することができるので、情報を逃すことを防止できる。
【００１６】
また、上記画像表示部は、前記優先信号選択部により選択されなかった信号に基づく画像を、前記優先信号選択部により選択された信号に基づく画像の一部に組み込んで表示するものであってもよい。
【００１７】
このような構成を採ることにより、テレビ電話により中断されたテレビ放送の画像を表示画面の一部に表示することができるので、テレビ電話中においてもテレビ放送の状況を把握することができる。
【００１８】
また、本発明は、テレビ放送信号を受信するテレビ放送受信部と、前記テレビ放送信号に基づく画像を表示する画像表示部と、を有する画像表示装置との間で信号の送受信を行う信号送受信部と、音声と映像からなるテレビ電話信号を送受信するテレビ電話送受信部と、前記テレビ放送信号及び前記テレビ電話信号の受信元のそれぞれに対して予め付けられた順位を記憶する順位記憶部と、前記順位記憶部に記憶された順位に基づき前記テレビ放送信号と前記テレビ電話信号のいずれを優先するかを選択する優先信号選択部と、前記画像表示部において前記テレビ放送信号に基づく画像が表示されている状態において、前記優先信号選択部により前記テレビ電話信号が優先されると判別された場合には、前記テレビ電話信号に基づく画像を前記画像表示部に表示させる表示画像切替部と、を備えることを特徴とする画像表示装置を提供するものでもある。
【００１９】
本発明によれば、新たなテレビに買い換えることなく、既存のテレビシステムを用いて本発明に係る画像表示システムを構築することができる。
【発明の効果】
【００２０】
本発明によれば、重要でない要件のテレビ電話の受信によってテレビ放送観賞を妨げられることを防ぐと共に、重要要件のテレビ電話については確実に接続することができる。
【発明を実施するための最良の形態】
【００２１】
以下、本発明に係る画像表示装置について、図面を参照しつつ説明する。
【００２２】
［第１の実施の形態］
本発明の第１の実施の形態に係る画像表示装置は、テレビ電話の機能がテレビに内蔵された、一体型の双方向通信テレビである。
【００２３】
（画像表示装置の構成）
図１は、本発明の第１の実施の形態に係る画像表示装置の内部構成を示すブロック図である。
【００２４】
第１の実施の形態に係る画像表示装置１ａは、制御部１１と、ＲＯＭ(Read Only Memory)１２と、ＲＡＭ(Random Access Memory)１３と、録画画像格納部１４と、データベース１５と、順位決定部１６と、接続切替部１７と、テレビ放送受信部１８と、インターフェイス１９と、音声発生部２０と、画像表示部２１と、画像撮影部２２と、集音部２３と、操作部２４と、メイン内部バス２５とからなる。
【００２５】
制御部１１は、画像表示装置１ａの制御を司るものであり、具体的にはＣＰＵ(Central Processing Unit)等が用いられる。
【００２６】
ＲＯＭ１２は、画像表示装置１ａを駆動させるために制御部１１において実行されるプログラム等を格納するものであり、ＲＡＭ１３は、画像表示装置１ａを駆動させる際に制御部１１が必要とするパラメータ等を一時的に格納するものである。
【００２７】
録画画像格納部１４は、画像表示装置１ａで受信したテレビ画像や、テレビ電話の通話相手による留守番電話画像を格納するものであり、ＨＤＤ(Hard Disk Drive)や半導体メモリ、ＤＶＤ(Digital Versatile Disk)-Ｒ等の光学ディスクなどが用いられる。
【００２８】
データベース１５は、テレビ電話の通話先に関する情報や、受信するテレビ番組に関する情報を格納するものであり、各情報には、その優先順位も併せて格納されている。
【００２９】
順位決定部１６は、テレビ放送表示時にテレビ電話を受信した場合に、テレビ放送とテレビ電話のどちらを表示するか、または、テレビ電話表示時に別のテレビ電話を受信した場合に、どちらの通話先の画像を表示するかについて、データベース１５に格納された情報を元にその優先順位を決定するものである。その決定方法については後述する。
【００３０】
接続切替部１７は、現在表示中のテレビ放送やテレビ電話の通話先よりも、受信したテレビ電話の通話先が高い優先順位であると、順位決定部１６により決定された場合に、表示画像を切り替えるものである。なお、順位決定部１６及び接続切替部１７は、図１においてはハードウエアとして構成されているが、ソフトウエアとして構成することも可能である。
【００３１】
テレビ放送受信部１８は、画像表示装置１ａの外部に構成されたアンテナ４を介して、テレビ放送を受信する。また、インターフェイス１９は、画像表示装置１ａの外部に構成されたネットワーク５を介してテレビ電話画像を送受信する。
【００３２】
音声発生部２０は、受信したテレビ放送やテレビ電話の音声を発生させるものであり、スピーカまたはヘッドフォン端子に相当する。また、画像表示部２１は、受信したテレビ放送やテレビ電話の画像を表示するものであり、ＣＲＴ、ＬＣＤ、ＰＤＰ等の画像表示装置に相当する。
【００３３】
画像撮影部２２は、テレビ電話において通話先へ送信するユーザの画像を撮影するものであり、ＣＣＤカメラ等に相当する。また、集音部２３は、テレビ電話において通話先へ送信するユーザの声を集音するものであり、マイクに相当する。
【００３４】
操作部２４は、画像表示装置１ａの起動／停止や、受信チャンネルの切替、テレビ電話の受発信、テレビ放送／テレビ電話の受信切替などの操作を行うためのものであり、画像表示装置１ａ本体に直接設けられているものであっても、画像表示装置１ａとは分離したリモコンと、リモコンからの信号を受信する受信部とからなるものであってもよい。
【００３５】
メイン内部バス２５は、画像表示装置１ａの各構成部を電気的に接続し、制御部１１が他の構成部へアクセスするためや、各構成部間でのデータの移動に使用される。具体的には、ＰＣＩ(Peripheral Components Interconnect)やＰＣＩ  ｅｘｐｒｅｓｓ等である。
【００３６】
テレビ番組受像時には、テレビ放送電波をテレビ放送受信部１８が受信し、音声を音声発生部２０から発し、画像を画像表示部２１にて表示することにより、ユーザは、画像表示装置１ａにおいてテレビ番組を視聴することができる。
【００３７】
一方、テレビ電話受発信時には、ネットワーク２７及びインターフェイス１９を介して信号を受信し、音声を音声発生部２０から発し、通話先の相手画像を画像表示部２１にて表示する。一方、画像撮影部２２がユーザの画像を撮影し、集音部２３がユーザの声を集音し、インターフェイス１９及びネットワーク２７を介して通話先に送信する。これにより、ユーザは画像表示装置１ａにおいてテレビ電話による通話を行うことができる。
【００３８】
（順位決定部）
順位決定部１６は、テレビ放送とテレビ電話のどちらを表示するか、２つのテレビ電話のどちらの通話先の画像を表示するかについて、データベース１５に格納された情報を元にその優先順位を決定する。このデータベース１５に格納された情報の例を図２に示す。
【００３９】
図２は、データベース１５に格納された情報の例であり、（ａ）はテレビ番組リスト、（ｂ）は電話帳リストである。
【００４０】
図２（ａ）のテレビ番組リスト３１には、数種のテレビ番組名と共に各テレビ番組に対応したランクが表示されている。また、図２（ｂ）の電話帳リスト３２には、複数の個人名や会社名及びそれぞれの電話番号と共に対応したランクが表示されている。
【００４１】
順位決定部１６は、この各リストにおけるランクのデータを参照して、テレビ放送とテレビ電話、或いは現在通話中のテレビ電話の相手先と後からかけてきたテレビ電話の相手先の、どちらを優先すべきかを判断する。
【００４２】
（接続切替部）
上記のような方法による優先順位の判断の結果、後から受信したテレビ電話が優先すべきとされた場合、接続切替部１７は、画像表示部２１や音声発生部２０へ接続される信号を、これまで接続されていた信号から、後から受信したテレビ電話信号へと切り替えることになる。
【００４３】
図３は、本発明に係る画像表示装置１ａにおける、テレビ放送観賞中にテレビ電話を受信した際の処理の例である。
【００４４】
図３（ａ）において、画像表示装置１ａは、テレビ放送信号４１を受信し、当該信号に基づく画像を表示画面２１１において表示している。その状態において、テレビ電話信号４２を受信したとする。
【００４５】
このとき、例えば上述した図２のリストにあるように、優先順位の高い方から順に、Ａ、Ｂ、Ｃ、・・・とランク付けがされていたとする。鑑賞中のテレビ放送がランクＢであり、受信したテレビ電話の相手先がランクＡであったような場合には、図３（ｂ）に示すようにテレビ電話を優先し、現在放送中のテレビ放送について録画を開始すると共に、接続切替部１７により、表示画面２１１に表示される画像をテレビ電話信号４２に基づく画像に切り替える。
【００４６】
尚、このとき、表示画面２１１にはテレビ電話の相手先の画像が表示されるが、テレビ放送の画像を表示画面２１１の一部に表示する、いわゆる二画面表示にしてもよい。
【００４７】
また、鑑賞中のテレビ放送がランクＡであり、受信したテレビ電話の相手先がランクＣであったような場合には、図３（ｃ）に示すようにテレビ放送を優先し、接続切替部１７による画像の切替はなく、テレビ放送画像の表示を継続し、テレビ電話については留守番電話により応対し、画像を録画する。
【００４８】
尚、このとき、表示画面２１１等に留守番電話の録音がなされたことを表示し、ユーザに告知するように構成してもよい。
【００４９】
図４は、本発明に係る画像表示装置１ａにおける、テレビ電話通話中に他のテレビ電話を受信した際の処理の例である。
【００５０】
図４（ａ）において、画像表示装置１ａは、第１のテレビ電話信号４３を受信し、当該信号に基づく画像を表示画面２１１において表示している。その状態において、第２のテレビ電話信号４４を受信したとする。
【００５１】
このとき、通話している第１のテレビ電話の相手先がランクＢであり、受信した第２のテレビ電話の相手先がランクＡであったような場合には、図４（ｂ）に示すように第２のテレビ電話を優先し、現在通話中の第１のテレビ電話について録画を開始すると共に、接続切替部１７により、表示画面２１１に表示される画像を第２のテレビ電話信号４４に基づく画像に切り替える。
【００５２】
また、通話している第１のテレビ電話の相手先がランクＢであり、受信した第２のテレビ電話の相手先がランクＣであったような場合には、図４（ｃ）に示すように第１のテレビ電話を優先し、接続切替部１７による画像の切替はなく、第１のテレビ電話画像の表示を継続し、第２のテレビ電話については留守番電話により応対し、画像を録画する。
【００５３】
尚、このとき、表示画面２１１等に留守番電話の録音がなされたことを表示し、ユーザに告知するように構成してもよい。
【００５４】
（テレビ放送受信中のテレビ電話受信時の動作）
本発明に係る画像表示装置１ａにおけるテレビ放送受信時に、テレビ電話を受信した際の動作を、フローチャートを参照しつつ説明する。尚、以下、特別の表記がない限り、各ステップにおける動作は制御部１１においてなされるものとする。
【００５５】
図５は、テレビ放送受信時にテレビ電話を受信した際における画像表示装置１ａの動作を示すフローチャートである。
【００５６】
最初に、テレビ放送の受信が開始される（ステップＳ１０１）。そして、テレビ放送受信中に、テレビ電話を受信したか否かの判断がなされる（ステップＳ１０２）。テレビ電話を受信していないと判別した場合には（Ｓ１０２：ＮＯ）、何ら処理することなくステップＳ１１６に処理を移し、テレビ電話を受信したと判別した場合には（Ｓ１０２：ＹＥＳ）、データベース１５に格納された電話帳リスト３２より相手先のランクを検索する（ステップＳ１０３）。
【００５７】
次に、受信したテレビ電話の相手先のランクが、現在表示中のテレビ放送のランクより上、即ち優先順位が上か否かの判断を行う（ステップＳ１０４）。優先順位が上であると判別した場合には（Ｓ１０４：ＹＥＳ）、現在受信しているテレビ放送の録画を開始し（ステップＳ１０５）、表示画像をテレビ放送からテレビ電話へと切り替え、通話を開始する（ステップＳ１０６）。
【００５８】
次に、テレビ電話の通話が終了したか否かの判断がなされる（ステップＳ１０７）。テレビ電話の通話がまだ終了していないと判別した場合には（Ｓ１０７：ＮＯ）、この処理を繰り返し、テレビ電話の通話が終了したと判別した場合には（Ｓ１０７：ＹＥＳ）、電話回線を切断し（ステップＳ１０８）、表示画像をテレビ放送画像へと切り替える（ステップＳ１０９）。尚、このとき表示されるテレビ放送画像は、テレビ放送からテレビ電話へ画像が切り替えられた時点からの録画画像であり、現時点で受信しているテレビ放送画像は、引き続き録画しつつ、過去にさかのぼった録画画像を再生することになる。
【００５９】
次に、録画中の番組が終了したか否かの判断がなされる（ステップＳ１１０）。録画中の番組がまだ放送中であると判別した場合には（Ｓ１１０：ＮＯ）、この処理を繰り返し、番組が終了したと判別した場合には（Ｓ１１０：ＹＥＳ）、番組の録画を終了させる（ステップＳ１１１）。その後、ステップＳ１１６に処理を移す。
【００６０】
一方、上述のステップＳ１０４において、受信したテレビ電話の通話先が放送中のテレビ番組よりも優先順位が低いと判別した場合には（Ｓ１０４：ＮＯ）、テレビ番組の表示を続け、テレビ電話については留守番電話の録画を開始する（ステップＳ１１２）。
【００６１】
そして、テレビ電話の通話が終了したか否かの判断がなされる（ステップＳ１１３）。テレビ電話の通話がまだ終了していないと判別した場合には（Ｓ１１３：ＮＯ）、この処理を繰り返し、テレビ電話の通話が終了したと判別した場合には（Ｓ１１３：ＹＥＳ）、留守番電話の録画を終了し（ステップＳ１１４）、録画された留守番電話画像を録画画像格納部１４へ格納する（ステップＳ１１５）。その後、ステップＳ１１６へ処理を移す。
【００６２】
次に、表示中の番組が終了したか否かの判断がなされる（ステップＳ１１６）。表示中の番組がまだ終了していないと判別した場合には（Ｓ１１６：ＮＯ）、ステップＳ１０２に処理を戻し、表示中の番組が終了したと判別した場合には（Ｓ１１６：ＹＥＳ）、このプログラムを終了する。
【００６３】
このようにプログラムを構成し、画像表示装置１ａに実行させることにより、テレビ放送観賞中にテレビ電話を受信した場合に、テレビ放送とテレビ電話の重要度に応じて、テレビ電話に切り替えるか、或いはテレビ電話は留守番電話で応対するかが決定されるので、重要でない要件のテレビ電話の受信によってテレビ放送観賞を妨げられることを防ぐと共に、重要要件のテレビ電話については確実に接続することができる。
【００６４】
（テレビ電話通話中の他のテレビ電話受信時の動作）
次に、本発明に係る画像表示装置１ａにおけるテレビ電話通話時に、他のテレビ電話を受信した際の動作を、フローチャートを参照しつつ説明する。
【００６５】
図６は、テレビ電話通話時に他のテレビ電話を受信した際における画像表示装置１ａの動作を示すフローチャートである。
【００６６】
最初に、テレビ電話の通話が開始される（ステップＳ１２１）。そして、テレビ電話通話中に、他のテレビ電話を受信したか否かの判断がなされる（ステップＳ１２２）。テレビ電話を受信していないと判別した場合には（Ｓ１２２：ＮＯ）、何ら処理することなくステップＳ１３２に処理を移し、テレビ電話を受信したと判別した場合には（Ｓ１２２：ＹＥＳ）、データベース１５に格納された電話帳リスト３２より相手先のランクを検索する（ステップＳ１２３）。
【００６７】
次に、受信したテレビ電話の相手先のランクが、現在通話中のテレビ電話の通話先のランクより上、即ち優先順位が上か否かの判断を行う（ステップＳ１２４）。優先順位が上であると判別した場合には（Ｓ１２４：ＹＥＳ）、現在通話している相手（第１通話先）とのテレビ電話について、留守番電話の録画を開始し（ステップＳ１２５）、通話先を第１通話先から後から受信した相手先（第２通話先）へと切り替え、通話を開始する（ステップＳ１２６）。
【００６８】
次に、第１通話先の留守番電話の録画が終了したか否かの判断がなされる（ステップＳ１２７）。留守番電話が通話中であり、まだ録画が終了していないと判別した場合には（Ｓ１２７：ＮＯ）、この処理を繰り返し、留守番電話が終了して録画が終了したと判別した場合には（Ｓ１２７：ＹＥＳ）、録画された留守番電話画像を録画画像格納部１４へ格納する（ステップＳ１２８）。
【００６９】
一方、上述のステップＳ１２４において、第２通話先が第１通話先よりも優先順位が低いと判別した場合には（Ｓ１２４：ＮＯ）、第１通話先との通話を続け、第２通話先については留守番電話の録画を開始する（ステップＳ１２９）。
【００７０】
そして、第２通話先による留守番電話の録画が終了したか否かの判断がなされる（ステップＳ１３０）。留守番電話の録画がまだ終了していないと判別した場合には（Ｓ１３０：ＮＯ）、この処理を繰り返し、留守番電話の録画が終了したと判別した場合には（Ｓ１３０：ＹＥＳ）、録画された留守番電話画像を録画画像格納部１４へ格納する（ステップＳ１３１）。その後、ステップＳ１３２へ処理を移す。
【００７１】
次に、直接通話されていた通話先とのテレビ電話が終了したか否かの判断がなされる（ステップＳ１３２）。テレビ電話の通話がまだ終了していないと判別した場合には（Ｓ１３２：ＮＯ）、ステップＳ１２２へ処理を戻し、テレビ電話の通話が終了したと判別した場合には（Ｓ１３２：ＹＥＳ）、電話回線を切断する（ステップＳ１３３）。
【００７２】
次に、録画された留守番電話のメッセージを再生するか否かの判断がなされる（ステップＳ１３４）。ユーザがメッセージの再生を希望しないと判別した場合には（Ｓ１３４：ＮＯ）、このまま処理を終了し、ユーザがメッセージの再生を希望すると判別した場合には（Ｓ１３４：ＹＥＳ）、録画画像格納部１４に格納された留守番電話画像を呼び出し、再生する（ステップＳ１３５）。その後、このプログラムを終了する。
【００７３】
このようにプログラムを構成し、画像表示装置１ａに実行させることにより、テレビ電話通話中に他のテレビ電話を受信した場合に、相手先の重要度に応じて、後から受信したテレビ電話に通話先を切り替えるか、或いは後から受信したテレビ電話は留守番電話で応対するかが決定されるので、重要でない要件のテレビ電話の受信によってより重要なテレビ電話の通話を妨げられることを防ぐと共に、重要要件のテレビ電話については確実に接続することができる。
【００７４】
［第２の実施の形態］
本発明の第２の実施の形態に係る画像表示システムは、既存のテレビに、テレビ電話の機能等を付加するセットトップボックスを追加した、画像表示システムである。
【００７５】
図７は、本発明の第２の実施の形態に係る画像表示システムの内部構成を示すブロック図である。
【００７６】
第２の実施の形態に係る画像表示システム１ｂは、テレビ放送を受信、表示するテレビ２と、テレビ電話機能や画像録画機能等を備えたセットトップボックス３と、からなる。
【００７７】
テレビ２は、テレビ放送受信部１８と、音声発生部２０と、画像表示部２１と、入出力端子２６と、メイン内部バス２７とからなる。
【００７８】
また、セットトップボックス３は、制御部１１と、ＲＯＭ１２と、ＲＡＭ１３と、画像格納部１４と、データベース１５と、順位決定部１６と、接続切替部１７と、インターフェイス１９と、画像撮影部２２と、集音部２３と、操作部２４と、メイン内部バス２５と、テレビ接続部２８と、からなる。
【００７９】
入出力端子２６は、テレビ放送受信部１８が受信したテレビ放送の情報や画像データのセットトップボックス３への送信、セットトップボックス３において受信したテレビ電話画像や録画された画像の受信等に使用するものである。
【００８０】
テレビ接続部２８は、インターフェイス１９により受信したテレビ電話画像や録画画像格納部１４に格納された画像をテレビ２に送信し、また、テレビ２にて受信したテレビ放送画像等を受信するために使用される。その他の構成部の機能については、第１の実施の形態におけるものと共通する。
【００８１】
このように画像表示システム１ｂを構成することにより、新たなテレビに買い換えることなく、既存のテレビシステムを用いて本発明に係る画像表示システムを構築することができ、第１の実施の形態によるシステムと同様の効果を得ることができる。
【図面の簡単な説明】
【００８２】
【図１】本発明の第１の実施の形態に係る画像表示装置の内部構成を示すブロック図である。
【図２】データベース１５に格納された情報の例であり、（ａ）はテレビ番組リスト、（ｂ）は電話帳リストである。
【図３】本発明に係る画像表示装置１ａにおける、テレビ放送観賞中にテレビ電話を受信した際の処理の例である。
【図４】本発明に係る画像表示装置１ａにおける、テレビ電話通話中に他のテレビ電話を受信した際の処理の例である。
【図５】テレビ放送受信時にテレビ電話を受信した際における画像表示装置１ａの動作を示すフローチャートである。
【図６】テレビ電話通話時に他のテレビ電話を受信した際における画像表示装置１ａの動作を示すフローチャートである。
【図７】本発明の第２の実施の形態に係る画像表示システムの内部構成を示すブロック図である。
【符号の説明】
【００８３】
１ａ、画像表示装置  １ｂ、画像表示システム  ２、テレビ  ３、セットトップボックス
４、アンテナ  ５、ネットワーク  １１、制御部  １２、ＲＯＭ  １３、ＲＡＭ
１４、録画画像格納部  １５、データベース  １６、順位決定部
１７、接続切替部  １８、テレビ放送受信部  １９、インターフェイス
２０、音声発生部  ２１、画像表示部  ２２、画像撮影部  ２３、集音部
２４、操作部  ２５、２７、メイン内部バス  ２６、入出力端子
２８、テレビ接続部  ３１、テレビ番組リスト  ３２、電話帳リスト
４１、テレビ放送信号  ４２、テレビ電話信号  ４３、第１のテレビ電話信号
４４、第２のテレビ電話信号  ２１１、表示画面
【図１】
2006333165.tif 000003
【図２】
2006333165.tif 000004
【図３】
2006333165.tif 000005
【図４】
2006333165.tif 000006
【図５】
2006333165.tif 000007
【図６】
2006333165.tif 000008
【図７】
2006333165.tif 000009